(57)【要約】【課題】  家庭内無線ネットワークを構成するために空気調和機の制御装置内に設ける無線通信制御手段につき、ネットワークを構成しない場合の待機電力の消費をなくする。【解決手段】  空気調和機への電源が投入されたとき、運転制御手段側の作用により開閉手段を閉じて無線通信制御手段に電源を供給し、所定時間Ｔｗ１の間待機し、不揮発性メモリに通信確立コードが記憶されていれば開閉手段を閉のままとして無線通信手段への電源供給を継続し、通信確立コードが記憶されていなければ開閉手段を開として無線通信制御手段への電源供給を遮断する。【選択図】  図１
2005315482.tif 000002
【特許請求の範囲】
【請求項１】
無線通信主局となる無線コントローラとその従属局となる空気調和機を含む家庭内ネットワーク構成のために、空気調和機の運転制御手段、無線コントローラとの無線通信制御手段、無線コントローラとの通信確立コードを記憶する不揮発性メモリおよび運転制御手段側から開閉する無線通信制御手段への電源供給開閉手段を設けた空気調和機の制御装置において、空気調和機への電源が投入されたとき、運転制御手段側の作用により開閉手段を閉じて無線通信制御手段に電源を供給し、所定時間Ｔｗ１の間待機し、不揮発性メモリに通信確立コードが記憶されていれば開閉手段を閉のままとして無線通信手段への電源供給を継続し、通信確立コードが記憶されていなければ開閉手段を開として無線通信制御手段への電源供給を遮断することを特徴とするネットワーク対応空気調和機。
【請求項２】
無線通信主局となる無線コントローラとその従属局となる空気調和機を含む家庭内ネットワーク構成のために、空気調和機の運転制御手段、無線コントローラとの無線通信制御手段、無線コントローラとの通信確立コードを記憶する不揮発性メモリ、無線コントローラからの受信の有無を記憶するメモリおよび運転制御手段側から開閉する無線通信制御手段への電源供給開閉手段を設けた空気調和機の制御装置において、空気調和機への電源が投入されたとき、運転制御手段側の作用により開閉手段を閉じて無線通信制御手段に電源を供給し、所定時間Ｔｗ１の間待機し、不揮発性メモリに記憶された通信確立コードにそった無線コントローラよりの受信ありがメモリに記憶されていれば開閉手段を閉のままとして無線通信手段への電源供給を継続し、記憶されていなければ開閉手段を開として無線通信制御手段への電源供給を遮断することを特徴とするネットワーク対応空気調和機。
【請求項３】
無線通信主局となる無線コントローラとその従属局となる空気調和機を含む家庭内ネットワーク構成のために、空気調和機の運転制御手段、無線コントローラとの無線通信制御手段、無線コントローラとの通信確立コードを記憶する不揮発性メモリ、無線コントローラからの受信の有無を記憶するメモリおよび運転制御手段側から開閉する無線通信制御手段への電源供給開閉手段を設けた空気調和機の制御装置において、空気調和機への電源が投入されたとき、運転制御手段側の作用により開閉手段を閉じて無線通信制御手段に電源を供給し、所定時間Ｔｗ１の間待機し、不揮発性メモリに記憶された通信確立コードにそった無線コントローラよりの受信ありがメモリに記憶されていれば開閉手段を閉のままとして無線通信手段への電源供給を継続し、記憶されていなければ開閉手段を開として無線通信制御手段への電源供給を遮断するとともに、電源供給を遮断した場合において、所定時間間隔Ｔｗ３毎に、運転制御手段側の作用により開閉手段を閉じて無線通信制御手段に電源を供給し、所定時間Ｔｗ２（Ｔｗ３ >> Ｔｗ１ >= Ｔｗ２）の間待機し、不揮発性メモリに記憶された通信確立コードにそった無線コントローラよりの受信ありがメモリに記憶されていれば開閉手段を閉のままとして無線通信手段への電源供給の継続、記憶されていなければ開閉手段を開として無線通信制御手段への電源供給の遮断をすることを特徴とするネットワーク対応空気調和機。
【発明の詳細な説明】
【技術分野】
【０００１】
本発明は、家庭内ネットワークの主局となる無線コントローラと空気調和機を無線通信によって接続し遠隔制御するような場合のネットワーク対応空気調和機に内臓させる無線通信制御手段への通電制御に関する。
【背景技術】
【０００２】
近年のインターネットの普及、携帯電話の普及にあいまって、家庭内ネットワーク構築の機運が高まってきている。そのためには、家庭内ネットワークの主局となる無線コントローラとの無線通信制御手段を空気調和機の制御装置に準備しなければならない。
【０００３】
無線通信制御手段を備えた機器については、次のような公知例がある。
【０００４】
特開２００２−３４９９４０号公報に開示されている「無線通信機能付き情報処理装置および無線通信方法」によれば、無線通信機能を備えたＰＤＡなどの移動体において、電界強度を監視し、所定レベル以下の場合に無線通信機能をオフにする内容が示されている。
【０００５】
特開２００２−３４９９４０号公報に開示されている「空気調和システム」によれば、複数の空気調和機を無線の集中制御装置で制御する例が示されている。
【０００６】
【特許文献１】特開２００２−３４９９４０号公報
【発明の開示】
【発明が解決しようとする課題】
【０００７】
家庭内ネットワークに設ける無線コントローラと空気調和機との無線通信における情報交換については、次の課題がある。
【０００８】
家庭内ネットワークを通じて、家庭内の機器を集中制御しようという機運が盛り上がり始めたばかりであり、まだ無線コントローラを配置している家庭は少ない。
【０００９】
空気調和機の製品寿命は十年以上であり、現段階で無線コントローラとの無線通信制御手段を内蔵させておかなければ将来のニーズに適合できない。
【００１０】
現段階の無線コントローラ未準備の状態で空気調和機に無線通信制御手段を内蔵させておくと、わずかではあるが待機電力を消費し、省電力の面で不都合である。
【００１１】
無線通信は家庭内で行われること、空気調和機は移動または携行するものではないことから、特開２００２−３４９９４０号公報に開示されている電界強度を測定して無線通信機器への通電を制御し、待機電力を低減するものでは、装置が複雑高価になる。
【００１２】
特開２００２−３４９９４０号公報には、無線通信機器の消費電力低減についての記載はない。
【課題を解決するための手段】
【００１３】
本発明は、空気調和機の制御装置に、上記課題とくに低価格の無線通信制御手段を内臓させ、内蔵させた無線通信制御手段の電力消費をなくすまたは極力なくすネットワーク対応空気調和機を提供することを目的とする。
【００１４】
本発明は、空気調和機は無線通信によって特定の家庭内ネットワークに設ける無線コントローラと通信することに着目してなされたものである。
【００１５】
請求項１の発明は、無線通信主局となる無線コントローラとその従属局となる空気調和機を含む家庭内ネットワーク構成のために、空気調和機の運転制御手段、無線コントローラとの無線通信制御手段、無線コントローラとの通信確立コードを記憶する不揮発性メモリおよび運転制御手段側から開閉する無線通信制御手段への電源供給開閉手段を設けた空気調和機の制御装置において、空気調和機への電源が投入されたとき、運転制御手段側の作用により開閉手段を閉じて無線通信制御手段に電源を供給し、所定時間Ｔｗ１の間待機し、不揮発性メモリに通信確立コードが記憶されていれば開閉手段を閉のままとして無線通信手段への電源供給を継続し、通信確立コードが記憶されていなければ開閉手段を開として無線通信制御手段への電源供給を遮断するようにしたものである。
【００１６】
請求項２の発明は、無線通信主局となる無線コントローラとその従属局となる空気調和機を含む家庭内ネットワーク構成のために、空気調和機の運転制御手段、無線コントローラとの無線通信制御手段、無線コントローラとの通信確立コードを記憶する不揮発性メモリ、無線コントローラからの受信の有無を記憶するメモリおよび運転制御手段側から開閉する無線通信制御手段への電源供給開閉手段を設けた空気調和機の制御装置において、空気調和機への電源が投入されたとき、運転制御手段側の作用により開閉手段を閉じて無線通信制御手段に電源を供給し、所定時間Ｔｗ１の間待機し、不揮発性メモリに記憶された通信確立コードにそった無線コントローラよりの受信ありがメモリに記憶されていれば開閉手段を閉のままとして無線通信手段への電源供給を継続し、記憶されていなければ開閉手段を開として無線通信制御手段への電源供給を遮断するようにしたものである。
【００１７】
請求項３の発明は、請求項２による所定時間Ｔｗ１の間の待機中に、不揮発性メモリに記憶された通信確立コードにそった無線コントローラよりの受信ありがメモリに記憶されていず、開閉手段を開として無線通信制御手段への電源供給を遮断した場合において、所定時間間隔Ｔｗ３毎に、運転制御手段側の作用により開閉手段を閉じて無線通信制御手段に電源を供給し、所定時間Ｔｗ２（Ｔｗ３ >> Ｔｗ１ >= Ｔｗ２）の間待機し、不揮発性メモリに記憶された通信確立コードにそった無線コントローラよりの受信ありがメモリに記憶されていれば開閉手段を閉のままとして無線通信手段への電源供給の継続、記憶されていなければ開閉手段を開として無線通信制御手段への電源供給の遮断をするようにしたものである。
【発明の効果】
【００１８】
請求項１の発明によれば、ネットワークを利用しない場合は不揮発性メモリに無線コントローラとの通信確立コードを記憶させることがないから、無線通信制御手段への電源供給が遮断され、無線通信制御手段での無駄な待機電力の消費をなくすことができる。
【００１９】
請求項２の発明によれば、ネットワークを利用しない場合は不揮発性メモリに無線コントローラとの通信確立コードを記憶させることがないから無線コントローラからの受信がなく、無線通信制御手段への電源供給が遮断され、無線通信制御手段での無駄な待機電力の消費をなくすことができる。
【００２０】
さらに、請求項２の発明によれば、ネットワークを利用する場合で不揮発性メモリに無線コントローラとの通信確立コードを記憶させていても、何らかの要因によって空気調和機の電源の遮断・復旧が発生したとき、無線コントローラが動作していなければ無線コントローラからの受信の記憶が無線通信制御手段にないから、無線通信制御手段への電源供給が遮断され、無線通信制御手段での無駄な待機電力の消費をなくすことができる。
【００２１】
請求項３の発明によれば、請求項２によって無線通信制御手段への電源供給が遮断されていても、所定時間間隔で、無線コントローラからの受信の有無をチェックするようにしているので、無線コントローラが復旧すれば、無線通信制御手段への電源供給が実施されるようになると共に、無線コントローラの不動作中は無線通信制御手段への電源供給が遮断され、無線通信制御手段での無駄な待機電力の消費をなくすことができる。
【００２２】
別の見方をすれば、不揮発性メモリに無線コントローラとの通信確立コードを記憶させておけば、無線コントローラの電源を遅れて投入しても、自動的に空気調和機との無線通信が行われるようになる。
【発明を実施するための最良の形態】
【００２３】
図４は、本発明の実施の対象を示す空気調和機を含む全体システムの概略構成である。家庭内ネットワークの主局として無線コントローラ１００が配置される。空気調和機は、通常、室内ユニット２００と室外ユニット５００で構成される。室内ユニットには、表示しない空気調和機としての冷媒配管、室内熱交換器などとともに、商用電源プラグ１１０を図示しない商用電源コンセントに差し込むことにより直流電源を作成する電源回路２２０、空気調和機の運転制御手段３００、運転制御手段３００によってコントロールされる空気調和機の運転操作指令などのためのワイヤレスリモコン１２０とのリモコン送受信回路３１０、各種表示のために室内ユニットの目視できる位置に配置される表示ＬＥＤ３２０、風向板モータ、送風機モータなどのアクチュエータ３３０、室内温度センサなどの各種センサ３４０が設けられている。また、これらとは別に無線コントローラとの通信のための無線通信制御手段４００、無線通信制御手段４００への電力供給または遮断を運転制御手段３００によって制御するための電源開閉手段２１０が設けられている。無線通信制御手段４００内には、運転制御手段３００の指令によって動作する無線通信制御部４１０、無線コントローラ１００へ通信コードを送信するための変調回路４２０および無線送信回路４３０、無線コントローラ１００よりの通信コードを受信するための無線受信回路４５０および復調回路４４０が設けられている。また、無線コントローラとの通信確立コードを格納するための不揮発性メモリであるＥＥＰＲＯＭ４６０および通信確立を指定するための押しボタン４８０、無線コントローラからの受信の有無を記憶するメモリ４７０が設けられている。なお、ＥＥＰＲＯＭ４６０および押しボタン４８０、メモリ４７０は、運転制御手段３００側に設けて、運転制御手段３００と無線通信制御部４１０のあいだの情報交換によって相互アクセスするようにしても良い。また、ＥＥＰＲＯＭ４６０およびＲＡＭ４７０は、運転制御手段３００と無線通信制御部４１０両方からアクセスできるようにしてもよい。本発明のもっとも特徴とする点は、この電源開閉手段２１０の制御方法にある。
【００２４】
本発明の詳細な説明に先だって、図５によって、通信確立手順および通信確立後の通信について概要を説明する。まず、通信確立手順は次のようになる。
【００２５】
家庭内ネットワークにおいては、間違っても近隣の家庭にある無線コントローラと通信をかわすようなことがあってはいけない。そのために、通信確立のための相互認識を手動操作を交えて行わざるを得ない。具体的には、図５の通信確立手順の各ブロックの手続きが矢印に沿って進んで行く。
【００２６】
まず、無線コントローラ１００と無線通信制御手段４００に電源が投入されている状態で、ブロック１０００において機器設置者が押しボタン４８０を押すと、ブロック１０１０においてそれを検知した無線通信制御部４１０が、あらかじめ空気調和機に仮に定められている自分をダミーの機器コードで示し無線コントローラ探索の送信を行う。ブロック１０２０において無線コントローラ１００が探索機器のあることを受信するとそれを無線コントローラ１００の表示手段に表示する。機器設置者は無線コントローラ１００の表示を見て確認ボタンを押す。なお、その他必要な入力処理を行うこともある。これによって、ブロック１０４０において無線コントローラ１００は、無線コントローラを探索している機器がネットワーク対象機器であると認識し、正式の機器認識コードを生成・記憶する。続いて、ブロック１０５０において無線コントローラ１００は、自分の識別コードと正式の機器コードをダミー機器に向けて送信する。ブロック１０６０においてこれを受信したダミー機器は、無線コントローラ１００より送信された無線コントローラ認識コードと正式に付与された機器コードを通信確立コードとして不揮発性メモリ４６０に記憶する。同時に、無線コントローラよりの受信ありをメモリ４７０に記憶する。そして、ブロック１０７０において、通信確立コードである無線コントローラ認識コードと機器コードを送信機器の識別コードとして無線コントローラに返信する。ブロック１０８０において、無線コントローラ１００は返信を確認して、ネットワークの接続を確定する。
【００２７】
通信確立後の通信は、次のようになる。無線コントローラ１００に電源が投入されていれば、ブロック１１００において無線コントローラ１００は、無線コントローラに登録されている機器に対し、通信確立コードである無線コントローラの認識コードと機器コードを相互認識コードとして定期的に（たとえば、１０秒毎に）ポーリングを行い、機器の様子確認データの送信、機器制御データの送信を行う。これに対し、ブロック１１１０において接続された機器（現在は空気調和機）は、不揮発性メモリ４６０に記憶された通信確立コードに適合するデータを無線通信制御手段４００において受信し、受信ありをメモリ４７０に記憶し、受信データを運転制御手段３００に引き渡す。ブロック１１２０において運転制御手段３００は、引き渡されたデータが空気調和機の制御を指令するものであれば、それに沿って空気調和機を制御する。空気調和機の状態問い合わせであれば、要求された状態を無線通信制御手段４００に引き渡す。これを受けてブロック１１３０は、不揮発性メモリ４６０に記憶された通信確立コードを識別信号として引き渡されたデータを無線コントローラ１００に送信する。無線コントローラ１００は、ブロック１１４０において通信確立コードに沿って無線データを受信する。それをどう使うかはここでは対象外である。
【００２８】
なお、このような手順は何らかの規格に定められるものと思われるので、詳細についてはそれに従うものとする。ここでの説明は、無線コントローラ１００と無線通信制御手段４００との間に無線接続がなされれば、無線確立コードとして少なくとも無線コントローラ認識コードと無線コントローラにより正式に付与された機器コードが、不揮発性メモリ４６０に記憶されること、無線コントローラ１００からの送信を、無線通信制御手段４００が不揮発性メモリ４６０に記憶された通信確立コードに沿って受信すれば受信ありをメモリ４７０に記憶することを示している。
【実施例１】
【００２９】
以上の前提をもとに、請求項１の発明を図１に示す実施例によって詳細に説明する。請求項１の実施例であるブロック２０００は、プラグ１１０が商用電源コンセントに差し込まれ、運転制御手段３００に電源２２０が供給されたときに、運転制御手段３００の機能として動作する。まず、ブロック２０１０において、電源開閉手段２１０を閉じ、無線通信制御手段４００へ電源を供給する。続いてブロック２０２０でタイマＴｗ１を設定する。設定時間は、図５にて説明した手動操作が充分行えるだけの時間、たとえば、１５分とする。次に、ブロック２０３０でタイマＴｗ１の経過を待つ。
【００３０】
この間のありうる形態には次のものがある。
【００３１】
無線コントローラを配置した家庭の場合で、押しボタン４８０が押され、通信確立の手動操作が行われれば、無線通信制御部４１０は、ＥＥＰＲＯＭ４６０に前記した通信確立コードを記憶させる。
【００３２】
無線コントローラを配置していない家庭の場合は、押しボタン４８０が押されても、無線コントローラとの交信ができないから無効であり、通信確立はできない。
【００３３】
また、押しボタン４８０が押されなくても、当然、通信確立はできない。
【００３４】
別の形態として既に通信確立された空気調和機の電源が再投入された場合は、ＥＥＰＲＯＭ４６０に通信確立コードが記憶されている。
【００３５】
したがって、タイマＴｗ１が経過したとき、ブロック２０４０において、運転制御手段３００が無線通信制御部４１０にＥＥＰＲＯＭ４６０に記憶されている通信確立の有無を問い合わせ、Ｙｅｓの場合は、電源開閉手段２１０は操作せず閉を保ってブロック２０８０によって処理を終了する。Ｎｏの場合は、ブロック２０７０において、電源開閉手段２１０を開として、無線通信制御手段４００への通電を遮断して、ブロック２０８０によって処理を終了する。
【００３６】
このようにして、家庭内ネットワークを構成する空気調和機が無線コントローラ１００との間で通信確立の場合は、無線通信制御手段４００への通電を継続し、ネットワーク対応空気調和機として動作させる。そうでない場合は、無線通信制御手段４００への通電を遮断し、無線通信制御手段４００の待機電力を無くし、スタンドアローンの空気調和機として動作させる。
【実施例２】
【００３７】
次に、請求項２の発明を図２に示す実施例によって詳細に説明する。請求項２の実施例であるブロック２２００は、プラグ１１０が商用電源コンセントに差し込まれ、運転制御手段３００に電源２２０が供給されたときに、運転制御手段３００の機能として動作する。まず、ブロック２２１０において、電源開閉手段２１０を閉じ、無線通信制御手段４００へ電源を供給する。続いてブロック２２２０でタイマＴｗ１を設定する。次に、ブロック２２３０でタイマＴｗ１の経過を待つ。
【００３８】
この間のありうる形態には次のものがある。
【００３９】
無線コントローラを配置した家庭の場合で、押しボタン４８０が押され、通信確立の手動操作が行われれば、無線通信制御部４１０は、ＥＥＰＲＯＭ４６０に前記した通信確立コードを記憶させる。無線コントローラとの通信を行ったから、無線コントローラとの通信ありをメモリ２７０に記憶する。
【００４０】
無線コントローラを配置していない家庭の場合は、押しボタン４８０が押されても、無線コントローラとの交信ができないから無効であり、無線コントローラとの通信ありはメモリ２７０に記憶されない。
【００４１】
別の形態として既に通信確立された空気調和機の電源が再投入された場合は、ＥＥＰＲＯＭ４６０に通信確立コードが記憶されている。したがって無線コントローラからＥＥＰＲＯＭ４６０に記憶されている通信確立コードに適合する送信がおこなわれた場合は、それを受信することができるので、無線コントローラとの通信ありをメモリ２７０に記憶する。
【００４２】
したがって、タイマＴｗ１が経過したとき、ブロック２２４０において、運転制御手段３００が無線通信制御部４１０にＲＡＭ４７０に記憶されている無線コントローラとの通信の有無を問い合わせ、Ｙｅｓの場合は、電源開閉手段２１０は操作せず閉を保ってブロック２２８０によって処理を終了する。Ｎｏの場合は、ブロック２２７０において、電源開閉手段２１０を開として、無線通信制御手段４００への通電を遮断して、ブロック２０８０によって処理を終了する。
【００４３】
このようにして、家庭内ネットワークを構成する空気調和機が無線コントローラとの間で通信を確立しかつ電源投入時の所定時間内に無線コントローラからの受信があった場合は、無線通信制御手段４００への通電を継続し、ネットワーク対応空気調和機として動作させる。そうでない場合は、無線通信制御手段４００への通電を遮断し、無線通信制御手段４００の待機電力を無くし、スタンドアローンの空気調和機として動作させる。
【実施例３】
【００４４】
次に、請求項３の発明を図３に示す実施例によって詳細に説明する。請求項３の実施例であるブロック２６００は、ブロック２６０５においては、請求項２の実施例図２と同じであり、ブロック２６１０から２７９０の新規の内容は、通信確立されていて、かつ、電源開閉手段が開の結果になったときの通信復旧手段を提供している。まず、ブロック２６０５の結果を受けて、ブロック２６１０において、通信確立の状態でかつ電源開閉手段２１０が開であるかどうかを判定している。電源開閉手段２１０が閉または通信確立でなければ、Ｎｏを選択し、結果としてブロック２７９０によって終了、すなわち、電源開閉手段２１０が閉の場合は閉の状態に保つかまたは通信未確立の場合は電源開閉手段２１０を開の状態に保つ。判定がＹｅｓであれば、ブロック２６２０に進み、電源開閉手段２１０が閉になるまで、ブロック２６３０から２７１０を繰り返し実行する。すなわち、ブロック２６３０において、タイマＴｗ３（たとえば６０分）を設定し、ブロック２６４０において、タイマＴｗ３の経過を待つ。次に、ブロック２６５０において電源開閉手段２１０を閉とし、ブロック２６６０においてタイマＴｗ２（たとえば、２分）を設定し、ブロック２６７０において、タイマＴｗ２の経過を待つ。タイマＴｗ２の経過を待つ間に、無線コントローラ１００とは通信確立の状態であるから、図５で説明したように、無線コントローラが動作していれば、たとえば、１０秒毎に無線コントローラ１００が空気調和機にポーリングをするからそれを無線通信制御部４１０が受信し、受信ありをメモリ２７０に記憶することになる。したがって、タイマＴｗ２が経過した後、ブロック２６８０において、無線コントローラ１００からの受信の記憶がメモリ４７０にあるかどうかを無線通信制御部４１０に問い合わせる。Ｎｏであれば、ブロック２７１０において、電源開閉手段を開とする。この結果、ブロック２６２０において、電源開閉手段が閉でないから、同じようにブロック２６３０から２７１０を繰り返す。Ｙｅｓであれば、電源開閉手段を操作しない、すなわち閉のままとする。この結果、ブロック２６２０においての判断が電源開閉手段が閉となるので、繰り返しループを終了し、ブロック２７９０によって処理を終了する。
【００４５】
ここで、Ｔｗ３は、間欠的な無線コントローラ１００の状態確認時間であり、６０分とか１２０分など時折確認するような時間間隔を設定すれば良い。Ｔｗ１は通信確立のための手動操作を含む所要時間であり、操作者の行動時間に配慮して１５分などに設定すればいい。Ｔｗ２は無線コントローラ１００が動作していればたとえば１０秒毎に無線通信制御部４１０に送信動作をするからその受信に必要な時間、たとえば、１から２分のように設定すればいい。結果として、Ｔｗ３ >> Ｔｗ１ >= Ｔｗ２ の関係を満たすように定めることになる。
【００４６】
このようにして、通信確立した空気調和機が何らかの要因によって電源遮断・復旧したが、無線コントローラ１００が何らかの要因によって電源遮断して動作していない状態にあっても、無線コントローラ１００が復旧すれば自動的に空気調和機との通信が復旧するようになっているし、無線コントローラ１００が動作していない間は、空気調和機の無線通信制御手段４００には通電しないようにしているので、無線通信制御手段４００が無駄な待機電力を消費することがなくなる。
【図面の簡単な説明】
【００４７】
【図１】本発明の実施例１を示す図。
【図２】本発明の実施例２を示す図。
【図３】本発明の実施例３を示す図。
【図４】本発明の空気調和機の制御装置構成を示す図。
【図５】無線通信の概要を説明する図。
【符号の説明】
【００４８】
１００…無線コントローラ、１２０…ワイヤレスリモコン、２００…室内ユニット、３００…運転制御手段、４００…無線通信制御手段、４１０…無線通信制御部、４６０…ＥＥＰＲＯＭ、４７０…ＲＡＭ、４８０…押しボタン、５００…室外ユニット。
【図１】
2005315482.tif 000003
【図２】
2005315482.tif 000004
【図３】
2005315482.tif 000005
【図４】
2005315482.tif 000006
【図５】
2005315482.tif 000007